(57)【特許請求の範囲】
【請求項１】
表示制御を行うためのＣＰＵとＲＡＭとを有するモニタ制御部と、前記モニタ制御部に接続されるＤＤＣ用データを格納した唯一の不揮発性メモリとを有するとともに、コンピュータ本体に接続されてそのモニタ表示を行う表示装置において、
前記唯一の不揮発メモリは、前記ＣＰＵと前記ＲＡＭとが接続されたバスへ、少なくとも１のＩ／Ｏを介して接続されるとともに、表示セットアップに必要なモニタ仕様データを記憶する領域を有し、
前記ＲＡＭは前記コンピュータ本体が電源オンされたときあるいはリセットされたときに前記モニタ仕様データをダウンロードする領域を有するとともに、前記コンピュータ本体からの、ＤＤＣ１／ＤＤＣ２Ｂ／ＤＤＣ２ＡＢのうちのいずれか１のプロトコルに基づいた読み出し要求に応じてダウンロードされた前記モニタ仕様データを前記コンピュータ本体側に転送するように構成されていることを特徴とする表示装置。
【請求項２】
前記唯一の不揮発性メモリに、前記モニタ仕様データを書き込みおよび消去するための電気的消去および書き込み可能な読出し専用メモリ（ＥＥＰＲＯＭ）を用いたことを特徴とする請求項１に記載の表示装置。
【請求項３】
表示制御を行うためのＣＰＵとＲＡＭとを有するモニタ制御部と、前記モニタ制御部を構成する前記ＣＰＵと前記ＲＡＭとが接続されたバスへ、少なくとも１のＩ／Ｏを介して接続されるＤＤＣ用データを格納した唯一の不揮発性メモリと、を有するとともに、コンピュータ本体に接続されてそのモニタ表示を行う表示装置の表示方法において、
前記コンピュータ本体が電源オンされたときあるいはリセットされたときに前記唯一の不揮発性メモリが記憶しているデータの内の表示セットアップに必要なモニタ仕様データを前記ＲＡＭの所定領域にダウンロードするとともに、ダウンロードされた前記モニタ仕様データを前記コンピュータ本体からの、ＤＤＣ１／ＤＤＣ２Ｂ／ＤＤＣ２ＡＢのうちのいずれか１のプロトコルに基づいた読み出し要求に従い前記コンピュータ本体側に転送することを特徴とする表示装置の表示方法。
【発明の詳細な説明】
【０００１】
【発明の属する技術分野】
本発明は米国を拠点とするＶＥＳＡ（Ｖideo Ｅlectronics Ｓtandard Ａssociation）より規格化されたＤＤＣ（Ｄisplay Ｄata Ｃhannel）ディスプレイ規格等が適応されるパーソナルコンピュータ（以下「ＰＣ」と略す）システムにおけるモニタ表示装置及びその制御方法に関する。
【０００２】
【従来の技術】
かかるＤＤＣ規格は、ＰＣ上でのインストールやセットアップをいわゆるＰlug ＆ Ｐlayによって簡単なものにするためのものである。例えば解像度の設定作業は煩雑であって所定範囲外の解像度を指定してしまうと、モニタ画面が正常に表示されず操作者にとって判別不可能な表示状態になったりするが、この規格によると、ＰＣ本体とモニタ間のデータ交換のための信号線とその手順が決められ、モニタの性能を簡単な操作のみで取り出すことができる。例えば、ＤＤＣ規格にはＤＤＣ１／２Ｂ／２ＡＢの三つのレベルが規定されており、ＤＤＣ１はモニタの型名等をＰＣに知らせる基本モードであり、またＤＤＣ２Ｂはさらに詳細なデータを知らせるモードであり、さらにＤＤＣ２ＡＢはＰＣとモニタ間の双方向通信モードで、かつ画面の色あいや歪をＰＣ側で調整可能とするモードである。
【０００３】
従来、この種モニタ規格にそったＰlug ＆ Ｐlay方式を採用したモニタシステムを図１に示す。ＰＣ本体２０とモニタ制御部２１とはバス２５を介して接続されている。モニタ制御部２１はマイコン２２によって制御され、このマイコン２２には通常のモニタ表示制御に必要なメモリとして４ｋＢｉｔ程度のＥＥＰＲＯＭ（電気的消去および書き込み可能な読出し専用メモリ）２３が接続され、これにはモニタ製造工場調整用データ等が書き込まれている。
【０００４】
【発明が解決しようとする課題】
しかしながら、Ｐlug ＆ Ｐlay方式対応に必要な１ｋＢｉｔ程度のデータの読み出しは、モニタのセットアップ時にＰＣ２０からの垂直同期信号ＶＳＹＮＣに同期して行っているため、単にＥＥＰＲＯＭ２３の記憶容量を拡張してその一部をＰlug ＆ Ｐlay方式対応メモリに利用したのでは垂直同期信号ＶＳＹＮＣに同期させるのが困難であった。このため、ＥＥＰＲＯＭ２３とは別に直接ＶＳＹＮＣ信号を与えることにより直ちにモニタ仕様データを読み出すことができるように、Ｐlug ＆ Ｐlay方式対応専用メモリとしてＥＥＰＲＯＭ２４を設ける必要があった。図１のようなシステム構成において、セットアップ時に垂直同期信号ＶＳＹＮＣの入力をＥＥＰＲＯＭ２４に与えることによって、ＥＥＰＲＯＭ２４に書き込まれているモニタ仕様データが読み出されて専用バスライン２６を介してＰＣ２０側に転送される。
【０００５】
上記のように従来のモニタ制御部２１は通常のモニタ制御データ記憶用ＥＥＰＲＯＭ２３に加えて、Ｐlug ＆ Ｐlay方式対応データ記憶専用ＥＥＰＲＯＭ２４を別途外部接続し、比較的高価なＥＥＰＲＯＭを二つも用いることになるため、モニタ表示装置のコストが高くなるという問題を生じていた。
本発明にかかる課題は、上記従来の問題点に鑑み、Ｐlug ＆ Ｐlay方式対応のモニタ制御を低コストで実現できるモニタ表示制御方法を提供することである。
【０００６】
【課題を解決するための手段】
上記課題を解決するために、請求項１にかかる発明は、表示制御を行うためのＣＰＵ（３）とＲＡＭ（４）とを有するモニタ制御部（２）と、モニタ制御部に接続されるＤＤＣ用データを格納した唯一の不揮発性メモリ（８）とを有するとともに、コンピュータ本体（１）に接続されてそのモニタ表示を行う表示装置（９）において、前記唯一の不揮発メモリは前記ＣＰＵと前記ＲＡＭとが接続されたバスへ、少なくとも１のＩ／Ｏを介して接続されるとともに、表示セットアップに必要なモニタ仕様データを記憶する領域を有し、ＲＡＭはコンピュータ本体が電源オンされたときあるいはリセットされたときにモニタ仕様データをダウンロードする領域（５）を有するとともに、コンピュータ本体からの読み出し要求に応じてダウンロードされたモニタ仕様データを前記コンピュータ本体側に転送するように構成されていることを特徴とする。また、請求項２にかかる発明は、ＤＤＣ用データを格納した唯一の不揮発性メモリに、モニタ仕様データを書き込みおよび消去するための電気的消去および書き込み可能な読出し専用メモリ（ＥＥＰＲＯＭ）を用いたことを特徴とし、例えばフラッシュ（ＦＬＡＳＨ）メモリ（特公平６−８２８４１号公報等参照）や強誘電体メモリ（特開平５−９０６０７号公報等参照）等が適用される。
【０００７】
請求項３にかかる発明は、表示制御を行うためのＣＰＵ（３）とＲＡＭ（４）とを有するモニタ制御部（２）と、モニタ制御部を構成する前記ＣＰＵと前記ＲＡＭとが接続たバスへ、少なくとも１のＩ／Ｏを介して接続されるＤＤＣ用データを格納した唯一の不揮発性メモリと（８）と、を有するとともに、コンピュータ本体（１）に接続されてそのモニタ表示を行う表示装置（９）の表示方法において、コンピュータ本体が電源オンされたときあるいはリセットされたときに前記唯一の不揮発性メモリが記憶しているデータの内の表示セットアップに必要なモニタ仕様データをＲＡＭの所定領域（５）にダウンロードするとともに、ダウンロードされたモニタ仕様データをコンピュータ本体からの読み出し要求に従いコンピュータ本体側に転送することを特徴とする。
【０００８】
【発明の効果】
本発明によれば、電源投入によるＰＣ本体の起動時あるいはリセット時を利用してモニタ側のマイコン制御によってダウンロード処理を行うので、Ｐlug ＆ Ｐlay方式対応専用の不揮発性メモリを用いることなくモニタ仕様データのＰＣ本体への読み出しを行うことができる。これによって該専用不揮発性メモリの設置を要せず、モニタシステムの低コスト化を実現でき、またＰＣ本体の起動あるいはリセットによって直ちに該モニタ仕様データの転送が可能になり、円滑かつ迅速なセットアップ処理を実現できる。
【０００９】
【発明の実施の形態】
以下に、本発明をＤＤＣディスプレイ規格のモニタシステムに適用した例を図面を参照して説明する。
図２は本実施例のＰＣモニタシステムの要部を示すブロック図である。ＰＣ本体１と接続されるモニタ９はマイクロプロセッサによるマイコン制御を行うモニタ制御部２を備えている。このモニタ制御部２はバス１２を介して接続されているＣＰＵ３およびＲＡＭ４を有しており、ＰＣ本体１とはバス１１およびＩ／Ｏ７を介して接続されている。さらに、モニタ９内にはモニタ制御部２に外部接続され、バス１０、Ｉ／Ｏ６およびバス１２を介してＣＰＵ３と接続されるＥＥＰＲＯＭ８が設けられている。ＥＥＰＲＯＭ８はモニタ製造工場調整用データ等の他、Ｐlug ＆ Ｐlay方式対応データを含むモニタ制御データ記憶用不揮発性メモリである。そして、ＰＣ本体１の電源投入時にＥＥＰＲＯＭ８から読み出されたモニタ仕様データがダウンロードされるための専用メモリエリア５がＲＡＭ４に割り付けられている。
【００１０】
ＥＥＰＲＯＭ８には、通常のモニタ表示制御に必要なデータの他に、例えば図３に示すように、ＶＥＳＡのＤＤＣ規格書（１９９４年１２月１２日REVISION版）による基本データとしてのＥＤＩＤ（Ｅxtended Ｄisplay Ｉdentification）データが書き込まれている。合計１２８バイトのＥＤＩＤデータの構成は「モニタ規格」ブロックのデータの他、「ヘッダ（Ｈeader）」、「製造者用データ（Ｖendor／Ｐroduct Ｉdentification）」、「ＥＤＩＤバージョン（ＥＤＩＤ  versin／revision）」等の各ブロックのデータからなっている。「モニタ規格」ブロックはセットアップ簡略化のＰlug ＆ Ｐlay適応のデータに関するものであり、図３に示すように、最大画面サイズや表示転送ガンマ特性（Ｄisplay Ｔransfer  Ｇamma  Ｃharacteristic）等の基礎表示パラメータ、カラー特性、さらに特定メーカのＰＣ端末機器に対応する、規格化されているタイミングへの対応およびそれ以外のタイミングへの対応、さらにタイミング詳細等のデータからなる。
【００１１】
上記のモニタシステムにおいて次のステップ（１）〜（３）に従いＰＣ本体１とモニタ９とのセットアップを行う。
（１）まずモニタ９のパワーオン状態でＰＣ本体１の電源スイッチを入れる。このＰＣ本体１の起動により、モニタ９側のＣＰＵ３によるダウンロード処理プログラム実行を開始し、それによってＥＥＰＲＯＭ８に格納されているＥＤＩＤデータ等のモニタ仕様データを読み出し、バス１０およびＩ／Ｏ６、さらにバス１２を通じてＲＡＭ４の専用メモリエリア５に転送してダウンロードが行われる。
【００１２】
（２）ついでダウンロードデータの読み出し要求の信号が図示しないキーボードを通じてＣＰＵ３に与えられると、メモリエリア５に格納されているダウンロードデータをＰＣ本体１側に転送する。
（３）上記（２）の転送処理の終了後、ダウンロード専用に割り付けたメモリエリア５は、ＲＡＭ記憶容量を減らさないように、通常のＲＡＭエリアの一部として制限なく使用される状態になる。
【００１３】
以上の手順によって、本実施例のモニタシステムにおいてはＰＣ本体１の起動時にモニタ仕様データのＰＣ本体１側への読み出しを行うので、Ｐlug ＆ Ｐlay方式対応のモニタ制御を単一のＥＥＰＲＯＭ８だけで円滑に行うことができるとともにセットアップ時の簡易操作性を低コストで実現できる。しかも、電源投入直後にモニタ仕様データの転送が可能になり、処理スピードの向上にも寄与する。  上記実施例ではパワーオン時に応用したものであるが、本発明は操作途中等でのモニタ交換などにおいて同様のダウンロードさせるために、所定のリセットキー（図示せず）操作を利用してリセット信号をＰＣ本体１からモニタ９側に与えることによって上記のダウンロード処理を行うようにしてもよい。
【００１４】
なお、上記ステップ（１）においてＰＣ本体１とモニタ９とを同一の電源スイッチを用いてパワーオン操作を連動させるようにしてもよい。また、上記ステップ（２）において、ダウンロードデータの読み出し要求の信号はＣＰＵ３による計時処理によって起動後所定時間経過したとき自動的にＰＣ本体に与えられるようにしてもよい。
【図面の簡単な説明】
【図１】  従来のモニタシステムの概略構成を示すブロック図である。
【図２】  本発明の実施形態であるモニタシステムの概略構成を示すブロック図である。
【図３】  ＤＤＣ規格のＥＤＩＤデータの構成を示すデータ説明図である。
【符号の説明】
１    ＰＣ（パーソナルコンピュータ）本体
２    モニタ制御部
３    ＣＰＵ
４    ＲＡＭ（通常エリア）
５    ＲＡＭ（モニタ仕様データエリア）
８    ＥＥＰＲＯＭ
９    モニタ
【図１】
0003841919.tif 000002
【図２】
0003841919.tif 000003
【図３】
0003841919.tif 000004